(57)【要約】【課題】基板がない発光ダイオード及びその製造方法を提供する。【解決手段】本発明の基板がない発光ダイオード及びその製造方法は以下の工程を含む。不透明基板が提供される工程。不透明基板上にエピタキシャル層が形成される工程。部分的なエピタキシャル層にエッチングが施されて孔部が形成される工程。エピタキシャル層上に絶縁層が形成される工程。部分的な絶縁層及び孔部上の絶縁層にエッチングが施されて、第一開口部及び第二開口部が形成される工程。第一開口部及び第二開口部中に第一電極部及び第二電極部がそれぞれ形成される工程。回路基板が提供される工程。第一電極部、第二電極部、及び回路基板が接合される工程。不透明基板が除去される工程。また、本発明は上述の方法により完成する基板がない発光ダイオードを更に提供する。【選択図】図２Ｉ
2019071323.tif 000002
【特許請求の範囲】
【請求項１】
不透明基板が提供される工程と、
前記不透明基板上にエピタキシャル層が形成される工程と、
部分的な前記エピタキシャル層にエッチングが施されて孔部が形成される工程と、
前記エピタキシャル層上に絶縁層が形成される工程と、
部分的な前記絶縁層及び前記孔部上の前記絶縁層にエッチングが施されて、前記エピタキシャル層の第一開口部及び第二開口部を露出させる工程と、
前記第一開口部及び前記第二開口部中に第一電極部及び第二電極部がそれぞれ形成される工程と、
回路基板が提供される工程と、
前記第一電極部、前記第二電極部、及び前記回路基板が接合される工程と、
前記不透明基板が除去される工程と、を含むことを特徴とする、
基板がない発光ダイオードの製造方法。
【請求項２】
前記エピタキシャル層、前記絶縁層、前記第一電極部、及び前記第二電極部の総厚さは５０マイクロメートルより薄いことを特徴とする請求項１に記載の基板がない発光ダイオードの製造方法。
【請求項３】
前記不透明基板と前記エピタキシャル層との間にエッチストップ層が形成される工程を更に含むことを特徴とする請求項１に記載の基板がない発光ダイオードの製造方法。
【請求項４】
前記エッチストップ層、前記エピタキシャル層、前記絶縁層、前記第一電極部、及び前記第二電極部の総厚さは５０マイクロメートルより薄いことを特徴とする請求項３に記載の基板がない発光ダイオードの製造方法。
【請求項５】
前記エッチストップ層はヒ化アルミニウム（ＡｌＡｓ）を含むことを特徴とする請求項３に記載の基板がない発光ダイオードの製造方法。
【請求項６】
前記エッチストップ層はインジウムガリウムリン（ＩｎＧａＰ）を含むことを特徴とする請求項３に記載の基板がない発光ダイオードの製造方法。
【請求項７】
前記不透明基板はヒ化ガリウム（ＧａＡｓ）基板を含むことを特徴とする請求項１に記載の基板がない発光ダイオードの製造方法。
【請求項８】
前記絶縁層は二酸化ケイ素（ＳｉＯ２）または窒化ケイ素（Ｓｉｌｉｃｏｎ  Ｎｉｔｒｉｄｅ）を含むことを特徴とする請求項１に記載の基板がない発光ダイオードの製造方法。
【請求項９】
前記エピタキシャル層は第一半導体層及び第二半導体層を備え、且つ前記第一半導体層は前記第二半導体層上に設置されるか、或いは前記第二半導体層は前記第一半導体層上に設置されることを特徴とする請求項１に記載の基板がない発光ダイオードの製造方法。
【請求項１０】
部分的な前記エピタキシャル層をエッチングする工程では、前記第一半導体層または前記第二半導体層の深さを超えるまでエッチングが施されることを特徴とする請求項９に記載の基板がない発光ダイオードの製造方法。
【請求項１１】
孔部を有するエピタキシャル層と、
前記エピタキシャル層上及び前記孔部中に設置され、前記エピタキシャル層を露出させる第一開口部及び第二開口部を有し、前記第二開口部は前記エピタキシャル層の前記孔部中に設置される絶縁層と、
前記第一開口部中に設置されて前記エピタキシャル層に電気的に接続される第一電極部と、
前記第二開口部中に設置されて前記エピタキシャル層に電気的に接続される第二電極部と、
前記第一電極部及び前記第二電極部に接続される回路基板と、を備えることを特徴とする、
基板がない発光ダイオード。
【請求項１２】
前記エピタキシャル層、前記絶縁層、前記第一電極部、及び前記第二電極部の総厚さは５０マイクロメートルより薄いことを特徴とする請求項１１に記載の基板がない発光ダイオード。
【請求項１３】
前記不透明基板と前記エピタキシャル層との間に形成されるエッチストップ層を更に備えることを特徴とする請求項１１に記載の基板がない発光ダイオード。
【請求項１４】
前記エッチストップ層、前記エピタキシャル層、前記絶縁層、前記第一電極部、及び前記第二電極部の総厚さは５０マイクロメートルより薄いことを特徴とする請求項１３に記載の基板がない発光ダイオード。
【請求項１５】
前記エッチストップ層はヒ化アルミニウム（ＡｌＡｓ）またはインジウムガリウムリン（ＩｎＧａＰ）を含むことを特徴とする請求項１３に記載の基板がない発光ダイオード。
【請求項１６】
前記不透明基板はヒ化ガリウム（ＧａＡｓ）基板を含むことを特徴とする請求項１１に記載の基板がない発光ダイオード。
【請求項１７】
前記絶縁層は二酸化ケイ素（ＳｉＯ２）または窒化ケイ素（Ｓｉｌｉｃｏｎ  Ｎｉｔｒｉｄｅ）を含むことを特徴とする請求項１１に記載の基板がない発光ダイオード。
【請求項１８】
前記エピタキシャル層は第一半導体層及び第二半導体層を備え、且つ前記第一半導体層が前記第二半導体層上に設置され、或いは前記第二半導体層が前記第一半導体層上に設置されることを特徴とする請求項１１に記載の基板がない発光ダイオード。
【発明の詳細な説明】
【技術分野】
【０００１】
本発明は、発光ダイオード及びその製造方法に関し、より詳しくは、基板がない発光ダイオード及びその製造方法に関する。
【背景技術】
【０００２】
図１は従来の発光ダイオードの構成を示す概略図である。フリップチップ技術（Ｆｌｉｐ−Ｃｈｉｐ）は現在チップパッケージ技術として、チップ上に設置される接続点を介して、チップをひっくり返し、接続点と回路基板１５とを直接接続させるために用いられている。
【発明の概要】
【発明が解決しようとする課題】
【０００３】
上述したように、従来のフリップチップ技術を利用して完成する発光ダイオード１（ＬＥＤ）構造及び方法において、チップが回路基板１５に粘着される前に、チップの搭載に使用される基板１１は透光基板１１であり、発光ダイオードの発光に使用されている。また、基板１１を回路基板１５上に圧着して粘着させつつチップ構造を損壊させないようにするため、従来は厚さ６０マイクロメートル（μｍ）以上の透光基板１１が使用される。さらには、エピタキシャル層１２、絶縁層１３、及び電極１４の厚さ自体も８０マイクロメートルを大きく超えるため、完成した発光ダイオード構造１の厚さは軽量薄型化の要求を満たせなかった。
【０００４】
そこで、本発明者は上記の欠点が改善可能と考え、鋭意検討を重ねた結果、合理的設計で上記の課題を効果的に改善する本発明の提案に到った。
【０００５】
かかる従来の実情に鑑みて、本発明は、基板がない発光ダイオード及びその製造方法を提供することを目的とする。
【課題を解決するための手段】
【０００６】
上述した課題を解決し、目的を達成するための本発明に係る基板がない発光ダイオードの製造方法は、以下の工程を含む。不透明基板が提供される工程。不透明基板上にエピタキシャル層が形成される工程。部分的なエピタキシャル層にエッチングが施されて孔部が形成される工程。エピタキシャル層上に絶縁層が形成される工程。部分的な絶縁層及び孔部上の絶縁層にエッチングが施されて、第一開口部及び第二開口部が形成される工程。第一開口部及び第二開口部中に第一電極部及び第二電極部がそれぞれ形成される工程。回路基板が提供される工程。第一電極部、第二電極部、及び回路基板が接合される工程。不透明基板が除去される工程。
【０００７】
また、本発明の上述の方法を利用して完成する基板がない発光ダイオードは、前記基板がない発光ダイオードが、エピタキシャル層と、絶縁層と、第一電極部と、第二電極部と、回路基板とを備える。エピタキシャル層は孔部を有する。絶縁層はエピタキシャル層上及び孔部中に設置され、エピタキシャル層を露出させる第一開口部及び第二開口部を有し、第二開口部はエピタキシャル層の孔部中に設置される。第一電極部は第一開口部中に設置されてエピタキシャル層に電気的に接続される。第二電極部は第二開口部中に設置されてエピタキシャル層に電気的に接続される。回路基板は第一電極部及び第二電極部に接続される。
【発明の効果】
【０００８】
本発明の基板がない発光ダイオード及びその製造方法は、製造過程において、不透明基板が用いられ、且つ最終的に完成した製品からは除去され、発光ダイオード全体の厚さを５０マイクロメートルより薄くする。
従来の技術では６０マイクロメートルを超える厚さの透光基板が使用されるのに比べ、本発明の基板がない発光ダイオード及びその製造方法では、重量の軽量化及び体積の薄型化の要求を満たす。本発明の方法により製造された基板がない発光ダイオードは、より幅広い発光ダイオード製品に応用可能である。
【図面の簡単な説明】
【０００９】
【図１】従来の発光ダイオードの構成を示す概略図である。
【図２Ａ】本発明の一実施形態に係る基板がない発光ダイオードの製造方法を示す工程のフローチャートである。
【図２Ｂ】本発明の一実施形態に係る基板がない発光ダイオードの製造方法を示す工程のフローチャートである。
【図２Ｃ】本発明の一実施形態に係る基板がない発光ダイオードの製造方法を示す工程のフローチャートである。
【図２Ｄ】本発明の一実施形態に係る基板がない発光ダイオードの製造方法を示す工程のフローチャートである。
【図２Ｅ】本発明の一実施形態に係る基板がない発光ダイオードの製造方法を示す工程のフローチャートである。
【図２Ｆ】本発明の一実施形態に係る基板がない発光ダイオードの製造方法を示す工程のフローチャートである。
【図２Ｇ】本発明の一実施形態に係る基板がない発光ダイオードの製造方法を示す工程のフローチャートである。
【図２Ｈ】本発明の一実施形態に係る基板がない発光ダイオードの製造方法を示す工程のフローチャートである。
【図２Ｉ】本発明の一実施形態に係る基板がない発光ダイオードの製造方法を示す工程のフローチャートである。
【図２Ｊ】本発明の他の実施形態に係る基板がない発光ダイオードの製造方法を示す図である。
【図２Ｋ】本発明の基板がない発光ダイオードの製造方法において、エピタキシャル層の工程を含むフローチャートである。
【発明を実施するための形態】
【００１０】
以下に図面を参照して、本発明を実施するための形態について、詳細に説明する。なお、本発明は、以下に説明する実施形態に限定されるものではない。
【実施例】
【００１１】
以下に、図１〜２Ｋを参照しながら、本発明をさらに詳しく説明する。図２Ａ乃至図２Ｉは、本発明の基板がない発光ダイオードの製造方法を示す工程のフローチャートである。
基板がない発光ダイオードの製造方法は以下の工程を含む。不透明基板２１が提供される工程。不透明基板２１上にエピタキシャル層２２が形成される工程。部分的なエピタキシャル層２２にエッチングが施されて孔部２２１が形成される工程。エピタキシャル層２２上に絶縁層２３が形成される工程。部分的な絶縁層２３及び孔部２２１上の絶縁層２３にエッチングが施され、エピタキシャル層２２を露出させる第一開口部２３１及び第二開口部２３２が形成される工程。第一開口部２３１及び第二開口部２３２中に第一電極部２４１及び第二電極部２４２がそれぞれ形成される工程。回路基板２５が提供される工程。第一電極部２４１、第二電極部２４２、及び回路基板２５が接合される工程。不透明基板２１が除去される工程。
【００１２】
以上のとおり、本発明の基板がない発光ダイオードの製造方法は最後の工程において、不透明基板２１が除去されることにより、エピタキシャル層２２、絶縁層２３、第一電極部２４１、及び第二電極部２４２の総厚さが５０マイクロメートル（μｍ）より薄くなる。本発明の実施形態では、不透明基板２１はヒ化ガリウム（ＧａＡｓ）基板を含む。
【００１３】
本発明のある実施形態において、絶縁層２３は二酸化ケイ素（ＳｉＯ２）または窒化ケイ素（Ｓｉｌｉｃｏｎ  Ｎｉｔｒｉｄｅ）を含む。
【００１４】
図２Ｊは本発明の他の実施形態に係る基板がない発光ダイオードの製造方法を示す図である。基板がない発光ダイオードの製造方法は、不透明基板２１（図２Ｊでは不透明基板２１が除去済）とエピタキシャル層２２との間にエッチストップ層２６が形成される工程を更に含む。エッチストップ層２６、エピタキシャル層２２、絶縁層２３、第一電極部２４１、及び第二電極部２４２の総厚さは５０マイクロメートルより薄い。
エッチストップ層２６はヒ化アルミニウム（ＡｌＡｓ）またはインジウムガリウムリン（ＩｎＧａＰ）を含み、異なる材料の性質に基づいて異なる溶液が選択されて不透明基板２１の除去に使用される。例えば、ヒ化アルミニウムが使用される材料をエッチストップ層２６とする場合、フッ化水素（ＨＦ）溶液が不透明基板の除去に使用される。インジウムガリウムリンが使用される材料をエッチストップ層２６とする場合、水酸化アンモニウム（ＮＨ４ＯＨ）、過酸化水素、或いは水の溶液が不透明基板２１の除去に使用される。
【００１５】
図２Ｋは本発明の基板がない発光ダイオードの製造方法において、エピタキシャル層の工程を含むフローチャートである。エピタキシャル層２２は第一半導体層２２２及び第二半導体層２２３を備え、且つ第一半導体層２２２が第二半導体層２２３上に設置され、或いは第二半導体層２２３が第一半導体層２２２上に設置される。第一半導体層２２２がＰ型半導体層を含み、第二半導体層２２３がＮ型半導体層を含むか、或いは第一半導体層２２２がＮ型半導体層を含み、第二半導体層２２３がＰ型半導体層を含む。
【００１６】
上述したように、部分的なエピタキシャル層２２にエッチングが施されて孔部２２１が形成される工程において、孔部２２１の深さは第一半導体層２２２または第二半導体層２２３の深さを超え、絶縁層２３の第一開口部２３１及び第二開口部２３２中に形成される第一電極部２４１及び第二電極部２４２を第一半導体層２２２及び第二半導体層２２３にそれぞれ電気的に接続させるのに利する。
【００１７】
図２Ｉは本発明の基板がない発光ダイオードの構成を示す概略図である。本発明の上述の製造方法により完成する基板がない発光ダイオード２は、エピタキシャル層２２と、絶縁層２３と、第一電極部２４１と、第二電極部２４２と、回路基板２５とを備える。エピタキシャル層２２は孔部２２１を有する。絶縁層２３はエピタキシャル層２２上及び孔部２２１中に設置され、エピタキシャル層２２を露出させる第一開口部２３１及び第二開口部２３２を有する（図２Ｅ参照）。
第二開口部２３２はエピタキシャル層２２の孔部２２１中に設置される。第一電極部２４１は第一開口部２３１中に設置されてエピタキシャル層２２に電気的に接続される。第二電極部２４２は第二開口部２３２中に設置されてエピタキシャル層２２に電気的に接続される。回路基板２５は第一電極部２４１及び第二電極部２４２に接続される。
【００１８】
また、上述したように、本発明の上述の方法により完成する基板がない発光ダイオード２は、従来の技術による透光基板を含まないため、エピタキシャル層２２、絶縁層２３、第一電極部２４１、及び第二電極部２４２の総厚さが５０マイクロメートル（μｍ）より薄くなる。本発明のある実施形態において、不透明基板２はヒ化ガリウム（ＧａＡｓ）基板を含む。
【００１９】
本発明のある実施形態において、絶縁層２３は二酸化ケイ素（ＳｉＯ２）または窒化ケイ素（Ｓｉｌｉｃｏｎ  Ｎｉｔｒｉｄｅ）を含む。
【００２０】
図２Ｊは本発明基板がない発光ダイオードがエッチストップ層を備える構造図である。基板がない発光ダイオードは、不透明基板２１（除去済）とエピタキシャル層２２との間に形成されるエッチストップ層２６を更に含む。エッチストップ層２６、エピタキシャル層２２、絶縁層２３、第一電極部２４１、及び第二電極部２４２の総厚さは５０マイクロメートルより薄い。
エッチストップ層２６はヒ化アルミニウム（ＡｌＡｓ）またはインジウムガリウムリン（ＩｎＧａＰ）を含み、且つ異なる材料の性質に基づいて異なる溶液が選択されて不透明基板２１の除去に用いられる。例えば、ヒ化アルミニウムが使用される材料をエッチストップ層２６とする場合、フッ化水素（ＨＦ）溶液が不透明基板２１の除去に使用される。インジウムガリウムリンが使用される材料をエッチストップ層２６とする場合、水酸化アンモニウム（ＮＨ４ＯＨ）、過酸化水素、または水の溶液が不透明基板２１の除去に使用される。
【００２１】
エピタキシャル層２２は第一半導体層２２２及び第二半導体層２２３を備え、且つ第一半導体層２２２が第二半導体層２２３上に設置され、或いは第二半導体層２２３が第一半導体層２２２上に設置される。第一半導体層２２２がＰ型半導体層を含み、第二半導体層２２３がＮ型半導体層を含むか、或いは第一半導体層２２２がＮ型半導体層を含み、第二半導体層２２３がＰ型半導体層を含む。
【００２２】
なお、エピタキシャル層２２の孔部２２１の深さは第一半導体層２２２または第二半導体層２２３の深さを超え、絶縁層２３の第一開口部２３１及び第二開口部２３２中に設置される第一電極部２４１及び第二電極部２４２を第一半導体層２２２及び第二半導体層２２３にそれぞれ電気的に接続させるのに利する。
【００２３】
総合すると、本発明の基板がない発光ダイオード及びその製造方法は製造過程において、不透明基板が使用され、且つ最終的に完成した製品から除去されることにより、発光ダイオード全体の厚さが５０マイクロメートル（μｍ）より薄くなる。
従来の技術では６０マイクロメートルを超える厚さの透光基板が使用されるのに比べ、本発明の基板がない発光ダイオード及びその製造方法は重量の軽量化及び体積の薄型化の要求をも満たす。よって、本発明の方法により製造された基板がない発光ダイオードは、より幅広い発光ダイオード製品に応用可能である。
【００２４】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００２５】
１      発光ダイオード
１１    基板
１２    エピタキシャル層
１３    絶縁層
１４    電極
１５    回路基板
２      基板がない発光ダイオード
２１    不透明基板
２２    エピタキシャル層
２２１  孔部
２２２  第一半導体層
２２３  第二半導体層
２３    絶縁層
２３１  第一開口部
２３２  第二開口部
２４１  第一電極部
２４２  第二電極部
２５    回路基板
２６    エッチストップ層
【図１】
2019071323.tif 000003
【図２Ａ】
2019071323.tif 000004
【図２Ｂ】
2019071323.tif 000005
【図２Ｃ】
2019071323.tif 000006
【図２Ｄ】
2019071323.tif 000007
【図２Ｅ】
2019071323.tif 000008
【図２Ｆ】
2019071323.tif 000009
【図２Ｇ】
2019071323.tif 000010
【図２Ｈ】
2019071323.tif 000011
【図２Ｉ】
2019071323.tif 000012
【図２Ｊ】
2019071323.tif 000013
【図２Ｋ】
2019071323.tif 000014